(57)【要約】【課題】ウオッチおよび／または宝石を中に収容して移送するための最適な保護を提供する、適度の体積の、非常に汎用性のあるケースを開発することを提案する。【解決手段】少なくとも１つのトレー（４）とカバー（５）の間で少なくとも１つの計時器または宝石（１０）を受け入れるための少なくとも１つのホルダ（３）を収容できるように配列された、閉じることができる箱（２）を備える、片手で動作させるように配列された、計時器または宝石（１０）のための旅行用サイズのケース（１）であって、この箱（２）は、カバー（５）と協働してケース（１）を閉じる底部（６）を含み、少なくとも１つのトレー（４）および少なくとも１つのホルダ（３）は、磁気引力により順に重ねて保持されるように配列されるケース（１）。【選択図】図２
2019155088.tif 000002
【特許請求の範囲】
【請求項１】
少なくとも１つのトレー（４）とカバー（５）の間で少なくとも１つの計時器または宝石（１０）を受け入れるための少なくとも１つのホルダ（３）を収容できるように配列された、閉じることができる箱（２）を備える、片手で動作させるように配列された、計時器または宝石（１０）のための旅行用サイズのケース（１）であって、前記箱（２）は、前記カバー（５）と協働して前記ケース（１）を閉じる底部（６）を備え、少なくとも１つの前記トレー（４）および少なくとも１つの前記ホルダ（３）は、磁気引力により順に重ねて保持されるように配列され、前記底部（６）は、各前記トレー（４）のための上部筐体（７）を備えるケース（１）であって、少なくとも１つの前記トレー（４）は、前記底部（６）に対して取外し可能であることを特徴とするケース（１）。
【請求項２】
各前記トレー（４）および各前記ホルダ（３）は、磁気引力により順に重ねて保持されるように配列されることを特徴とする、請求項１に記載のケース（１）。
【請求項３】
各前記トレー（４）は、第１の磁化を有する、または強磁性材料から作られた、少なくとも１つの磁化部分を含むこと、ならびに各前記ホルダ（３）は、それに対応して、強磁性材料から作られた少なくとも１つの部分を含む、または各前記トレー（４）が第１の磁化を有する磁化部分を含むときに前記第１の磁化と逆の第２の磁化で磁化された、もしくは前記トレー（４）が強磁性材料から作られた部分を含むときに磁化された、少なくとも１つの部分を含むことを特徴とする、請求項２に記載のケース（１）。
【請求項４】
少なくとも１つの前記取外し可能なトレー（４）は、ベルクロ（Ｖｅｌｃｒｏ）（登録商標）もしくはフックビロード（ｈｏｏｋ−ｖｅｌｖｅｔ）により、または磁気引力手段により、または機械式取付手段により、前記底部（６）に保持されることを特徴とする、請求項１に記載のケース（１）。
【請求項５】
１つの前記取外し可能なトレー（４）と前記底部（６）の間に収容されるように配列された少なくとも１つ容器挿入物（８）を含むことを特徴とする、請求項１に記載のケース（１）。
【請求項６】
少なくとも１つの前記取外し可能なトレー（４）は、ベルクロ（登録商標）もしくはフックビロードにより、または磁気引力手段により、または機械式取付手段により、前記容器挿入物（８）に保持されることを特徴とする、請求項５に記載のケース（１）。
【請求項７】
少なくとも１つの前記容器挿入物（８）は、取外し可能であり、ベルクロ（登録商標）もしくはフックビロードにより、または磁気引力手段により、または機械式取付手段により、前記底部（６）に保持されることを特徴とする、請求項５に記載のケース（１）。
【請求項８】
少なくとも１つの前記容器挿入物（８）は、永続的取付手段により取外し不可能な手法で前記底部（６）に固定されることを特徴とする、請求項５に記載のケース（１）。
【請求項９】
少なくとも１つの前記容器挿入物（８）は、前記計時器または宝石（１０）の予備部品、および／または証拠書類、および／または工具を受け入れるように配列された少なくとも１つの下部筐体（９）を含むことを特徴とする、請求項５に記載のケース（１）。
【請求項１０】
少なくとも１つの前記トレー（４）は、前記ケース（１）に対して前記ホルダ（３）の特定の幾何学的位置で、少なくとも１つの前記ホルダ（３）を相補的手法で受け入れるための少なくとも１つの区画（４０）を含むことを特徴とする、請求項１に記載のケース（１）。
【請求項１１】
少なくとも１つの前記ホルダ（３）は、計時器または宝石（１０）を保持するための不動化手段（３０）を含むことを特徴とする、請求項１に記載のケース（１）。
【請求項１２】
前記底部（６）または前記カバー（５）は、少なくとも１つの側壁（２０）を含むこと、前記カバー（５）または対応する前記底部（６）は、少なくとも１つの前記側壁（２０）上に連結されること、前記箱（２）は、閉じた位置を維持するための手段、および／または前記カバー（５）または対応する前記底部（６）と少なくとも１つの前記側壁（２０）の間でロックする手段（５０）を含むことを特徴とする、請求項１に記載のケース（１）。
【発明の詳細な説明】
【技術分野】
【０００１】
本発明は、閉じることができる箱を備え、かつ少なくとも１つのトレーとカバーの間で少なくとも１つの計時器または宝石を受け入れるための少なくとも１つのホルダを収容できるように配列された、片手で動作させるように配列された旅行用サイズの計時器または宝石のケースに関し、前記箱は、前記カバーと協働して前記ケースを閉じる底部を備える。
【０００２】
本発明は、計時器または宝石を保護および移送するための機器の分野に関する。
【背景技術】
【０００３】
計時器または宝石を保護および移送するには、多くの場合、非常に高価なこれらの対象物を保護するために、適切に包装する必要がある。この包装は、特に旅行中または出荷中、空間位置の変化、および高速、および加速度勾配を伴う、大きな動的応力を受けやすい。
【０００４】
対象物の正確な寸法に適合した詰め物を入れたケースは、新品のとき、適切な保護を提供する場合がある。しかしながら、特に発泡プラスチックの詰め物は、満足のいくように経年変化せず、経時的に劣化し、したがって、最適な安定化をもはや提供しない。さらにこれらのケースは、特定の形状および寸法の対象物を意図し、したがって、万能ではなく、旅行するようになる、またはいくつかのウオッチまたは宝石を持って行くようになるとき、実用的ではなく、ユーザは、さらに外部寸法が大きい場合が多いさまざまな個々のケースで、自分の手荷物の空間すべてを一杯にしたくない。
【０００５】
ＹＧＣ  Ｃｏｍｍｕｎｉｃａｔｉｏｎの名義の特許文献１は、基体とカバーの機能を組み合わせた腕時計用ケースを開示しており、基体およびカバーの一方は、ウオッチを受け入れるための中空の区画を含み、ウオッチを適合させ、見ることができるようにする。
【０００６】
ＹＥＭＡの名義の特許文献２は、表示される対象物を受け入れることができるホルダスタンドを含む、宝石またはウオッチなどの対象物を展示するための機器を開示しており、スタンドは、対象物の中空の跡を含む、成形材料からなる少なくとも１つのブロックにより形成され、したがって、対象物は、前記スタンド上の所定の位置に配置してロックすることができ、摩擦によりスタンドに簡単に連結され、したがって、対象物の目に見える側は、スタンドの上で目に見えるように展示される。このスタンドは、展示される対象物を受け入れる跡の反対側に位置する後部面または受け面を有し、この受け面は、支持表面に対象物を固定するための手段を具備する。より詳細には、展示される対象物のホルダスタンドは、支持表面と関連づけられ、前記表面は、さらにまた、前記スタンドの後部面上に配列された取外し可能な取付手段と関連づけて、前記表面にスタンドを取外し可能に取り付けて、前記表面に対して動かすことができるようにすることが可能な手段を具備する。
【先行技術文献】
【特許文献】
【０００７】
【特許文献１】スペイン国実用新案出願第１０４１４５５（Ｕ）号明細書
【特許文献２】仏国特許発明第２２９３７５７（Ａ）号明細書
【発明の概要】
【発明が解決しようとする課題】
【０００８】
本発明は、ウオッチおよび／または宝石を中に収容して移送するための最適な保護を提供する、適度の体積の、非常に汎用性のあるケースを開発することを提案する。
【課題を解決するための手段】
【０００９】
この目的を達成するために、本発明は、請求項１に記載のケースに関する。
【００１０】
本発明の他の特徴および利点は、添付図面を参照して以下の詳細な記述を読むことにより明らかになるであろう。
【図面の簡単な説明】
【００１１】
【図１】閉じた位置にある本発明によるケースの概略的上面図を示す。
【図２】開けた位置にある図１のケースの概略的透視図を示し、ホルダは、トレーの平坦な表面上で磁気引力によりしっかりと保持されたウオッチを収容して運ぶことができることを示す。
【図３】この場合はバックルを備える、動けなくする手段によりウオッチを保持するホルダの下方と上方の両方でバックルを通過させて、ウオッチを収容して運ぶことができる、図２のホルダの概略の透視図を示す。
【図４】側方の把持手段を備える、図２のトレーの概略の透視図を示す。
【図５】ウオッチホルダを収容して運ぶことができるトレーが取り除かれ、容器挿入物にアクセスできる同じケースを、図２に類似する手法で示す。
【図６】図５の容器挿入物の、概略の透視図を示す。
【図７】開けた位置にある本発明によるケースの概略の透視図を示し、ホルダは、トレーの平坦な表面上で磁気引力によりしっかりと保持されたウオッチを収容して運ぶことができることを示し、このトレーは、よりかさばったホルダを受け入れるための区画をさらに含む。
【図８】開けた位置にある本発明による別のケースの概略の透視図を示し、別のケースは、容器挿入物、トレー、およびウオッチを具備するホルダを順に重ねて支持する平坦な底部を有し、ケースの側面は、組立体を保護するカバー上に位置する。
【図９】トレーを取り除いた図５の構成で本発明によるケースの概略の上面図を示し、２つの容器挿入物は、底部の下部で並置されることを示す。
【図１０】図３の構成で本発明によるケースの概略の上面図を示し、上部に並置された２つのトレーを示す。
【図１１】図１に見えるトレーまたは図４のトレーに載った箱の下部を占有することが意図される、この場合は容器挿入物により形成される、ケースの内容物を出した外部の箱を含む図７のケースの分解透視図を示し、これらのトレーの一方は、これらのトレーの間の磁気引力場が弱くなる距離で、この場合はホルダトレーと別個に示すホルダに載る。
【図１２】ケースを閉じてロックするための手段を通過する平面に沿って、ヒンジまたは類似のタイプの、詳細に示していない関節接合に垂直に、図１１のケースの概略の横断面図を示す。
【発明を実施するための形態】
【００１２】
本発明は、計時器または宝石１０用の旅行用サイズのケース１に関する。「旅行用サイズのケース」は、ケース１を意味し、旅行中に人が身につけて、または手荷物の中に収容して、容易に運ぶことができるために、片手で動作させるように適合されていることを意味する。そのようなケース１は、ウオッチ、ブレスレット、または他の宝石などのような、１つまたは複数の計時器または宝石１０を収容できるように設計される。
【００１３】
このケース１は、ケース１のいくつかの構成部品、および１つまたは複数の計時器または宝石１０を収容できるように設計された、閉じることができる箱２を含む。
【００１４】
箱２は、少なくとも１つのトレー４と箱２のカバー５の間で少なくとも１つの計時器または宝石１０を受け入れるための、少なくとも１つのホルダ３を収容できるように配列される。
【００１５】
箱２は、カバー５と協働してケース１を閉じる底部６を有する。
【００１６】
本発明によれば、少なくとも１つのトレー４および少なくとも１つのホルダ３は、磁気引力により順に重なって保持されるように配列される。より詳細には、各トレー４および各ホルダ３は、磁気引力により順に重なって保持されるように配列される。
【００１７】
カバー５の内側に詰め物をしてもよく、その結果、計時器または宝石１０を具備する各ホルダ３は、下側がトレー４の上でしっかりと保持され、上側が詰め物に載り、この詰め物は、より詳細には、計時器または宝石１０が、ネックレス、ブレスレットなどの場合のような、移動可能な構成要素を含むとき、有利である。
【００１８】
しかしながら、そのような詰め物は、有利には、締め具などのような、計時器または宝石１０を保持するための動けなくする手段３０を含むそのようなホルダ３上で、計時器または宝石１０をしっかりと保持することができるときには必要なく、実際は、有利には、磁気引力は、高くなるように選ばれ、その結果、トレー４上でホルダ３を保持する引力は、任意の空間位置で、ならびに通常の旅行者の正常な条件の速度および加速度で、計時器または宝石１０をトレー４の上に十分に押しつけ続ける。
【００１９】
図３に示すホルダ３は、より詳細にはウオッチを受け入れるように設計され、有利には、ブレスレットの下部ストランドを収容できるように配列された溝を下部に含み、ブレスレットの上部ストランドは、この場合はバックルである動けなくする手段３０により保持され、この上部ストランドは、動けなくする手段３０の中に挿入される。
【００２０】
非常に高い磁場の影響を受けない最新式のウオッチは、そのような場合、高い磁場をこのように使用することによりウオッチを効率的に保持することができるようにする。
【００２１】
さまざまな構成が可能であり、トレー４の真下で、したがって、さらにまたホルダ３の真下で、箱の底部６の内側に収容された磁石の引力場をそれぞれ受ける強磁性部分をトレー４とホルダ３の両方が含む構成に加えて、最も簡単な構成は、少なくともトレー４および／またはホルダ３が磁化部分を含む構成であり、
各トレー４は、第１の磁化を有する、または強磁性材料から作られた、少なくとも１つの磁化部分を含み、各ホルダ３は、この場合それに対応して、強磁性材料から作られた少なくとも１つの部分を含む、または各トレー４が第１の磁化を有する磁化部分を含むときに第１の磁化と逆の第２の磁化で磁化された、もしくはトレー４が強磁性材料から作られた部分を含むときに磁化された、少なくとも１つの部分を含む。
【００２２】
したがって、本発明は、より詳細には、ユーザが望むとき、既存の細分を考慮することなく、かつ利用可能な内部空間の使用を最適化することなく、それぞれの計時器または宝石１０をケース内に置くことができるようにするように設計され、一方では、ケース１が２つ以上の計時器または宝石１０を含むとき、さまざまな計時器または宝石１０の間で安全な距離をとることを確実にすることが理解される。トレー４の平坦な上面は、配置の最大の自由度を可能にする。当然、本発明のこの利点は、ケースの中空の筐体内で計時器または宝石１０の従来の位置と両立せず、したがって、どのトレー４も、ケース１に対して特定の幾何学的位置に、一方のホルダ３および別のホルダ３を特に配置するために配列された、少なくとも１つの区画４０を含んでもよい。
【００２３】
図２、図４、図８、図１０、および図１１の一変形形態は、それぞれの計時器または宝石１０が完全に保持され、保護されるということを知って安心する、ユーザが望むときに空間を使用することができるようにする平坦な上面を有するトレー４の特定の事例を示す。
【００２４】
より詳細には、トレー４は、耳状の突起、輪、または別種のものの形をとる、取扱いを容易にするための把持手段４１を含む。
【００２５】
特定の一実施形態では、トレー４の上面は、底部６の縁部表面と同一平面をなす。
【００２６】
より詳細には、箱２の底部６は、中空であり、上部筐体７の中に同じケースのトレー４すべてを収容できることが意図される。本発明は、図２、図４、もしくは図８に示すような単一のトレー４を、または単一の上部筐体７の内側でモザイクのように、および図１０に見えるように、実質的に平坦に並置された複数のトレー４を収容するように配置されたこの単一の上部筐体７を伴って示されている。図示しない別の変形形態では、最下部６は、内部を細分して、複数の上部筐体７を含むことができる。さらにより詳細には、底部６は、トレー４ごとに上部筐体７を含む。また、保護すべき計時器または宝石１０の高さに適合した、異なる高さのホルダ３を有するために、異なる高さのトレー４を伴うケース１を提供することが可能であることが留意される。
【００２７】
箱２の底部６に対する各トレー４の位置決め、および想定される固定を、異なる変形形態で達成することができる。
【００２８】
図の特定の事例では、少なくとも１つのトレー４は、底部６に対して取外し可能である。より詳細には、少なくとも１つのそのような取外し可能なトレー４を、ベルクロ（Ｖｅｌｃｒｏ）（登録商標）もしくはフックビロード（ｈｏｏｋ−ｖｅｌｖｅｔ）により、または磁気引力手段により、または機械式取付手段により、および詳細には、特に航空機用の直角掛け締結具タイプなどの、工具不要の取付具により、底部６内で保持することができる。
【００２９】
別の変形形態では、少なくとも１つのトレー４を、永続的固定手段、接合、圧着、または他の手段により取外し不可能な手法で底部６に固定する。
【００３０】
別の変形形態では、底部６自体は、適宜、各トレー４または単一のトレーを形成する。
【００３１】
図の特定の事例では、ケース１は、取外し可能なトレー４と底部６の間に収容されるように配列された、少なくとも１つの容器挿入物８を含む。より詳細には、少なくとも１つのそのような取外し可能なトレー４は、ベルクロ（登録商標）もしくはフックビロードにより、または磁気引力手段により、または機械式取付手段により、または上述のような任意の類似の手段により、容器挿入物８に保持される。
【００３２】
同様に、より詳細には、少なくとも１つの容器挿入物８は、取外し可能であり、ベルクロ（登録商標）もしくはフックビロードにより、または磁気引力手段により、または機械式取付手段などにより、底部６に保持される。
【００３３】
別の変形形態では、少なくとも１つの容器挿入物８を、永続的取付手段により、取外し不可能な手法で底部６に固定する。
【００３４】
より詳細には、少なくとも１つのそのような容器挿入物８は、計時器または宝石１０の予備部品、および／または証拠書類、取扱説明書、保証書、購入もしくは関税支払の証明物、および／または工具を受け入れるように配列された、少なくとも１つの下部筐体９を含む。
【００３５】
ケース１は、箱２の完全に利用できる内側の高さを占める計時器または宝石１０を収容して運ぶことができることが意図される少なくとも１つのトレー４の底部６上に直接置くことができるようになるように、底部６の表面の一部分だけの上に一方または他の容器挿入物８を含んでもよい。
【００３６】
特定の手法であるが限定しない手法で、図８のような底部６および／または対応するカバー５は、従来の手法で４つの側壁２０を有する、図の実施形態のように、少なくとも１つの側壁２０を含む。カバー５または対応する底部６は、ヒンジなどのような関節接合手段５６により、少なくとも１つの側壁２０上に連結される。箱２は、閉じた位置を維持するための手段と、底部に搭載された、相補的機能を有する第２の構成要素５０６と協働する、カバー上の第１の構成要素５０５とを含む、カバー５または対応する底部６と少なくとも１つの側壁２０の間でロックする手段５０とを備える。底部６、カバー５、ならびに閉じた位置に維持するための手段および／またはロックする手段５０は、ケース１が身体の高さから地面に落とされるのに耐えるように、ならびにケース１を落としたとき、閉じた位置に保つことを確実にするように配列される。したがって、箱２は、粉砕または溶接された金属、ガラス繊維、炭素繊維、プラスチック材料、木材、革、または他のものから作られた個体構造物を含むことができる。この個体構造物は、その剛性を損なうことなくその質量を低減するための穴を含んでもよい。この個体構造物を、中に収容できることが意図される計時器または宝石に適した、任意の内部および／または外部のコーティングで覆ってもよい。
【００３７】
閉じた位置に維持するための手段、および／もしくはロックする手段５０は、磁気タイプであってもよい、または機械式の錠もしくはラッチを含んでもよい、または不注意に開くのを防止するための、鍵もしくは組合せ錠、または他のものを含んでもよい。
【００３８】
特定の一変形形態では、ケース１の箱２は、一体になっており、排他的ではなくより詳細には、革、プラスチック材料、または他のものから作られる。
【００３９】
本発明は、より詳細には、ユーザが個人的に使用するための旅行用サイズのケースを意図しているが、さらにまた、本発明には、販売前に個々のケースを必要とすることなくいくつかの品を集めたものを容易に保管および取り扱うための、ウオッチおよび宝石の小売店のための保管ケースのための、および展示する、または銀行の金庫室で保管することを意図するケースのための、派生する用途がある。
【符号の説明】
【００４０】
１  ケース
２  箱
３  ホルダ
４  トレー
５  カバー
６  底部
７  上部筐体
８  容器挿入物
９  下部筐体
１０  計時器または宝石
２０  側壁
３０  動けなくする手段
４０  区画
４１  把持手段
５０  ロックする手段
５６  関節接合手段
５０５  第１の構成要素
５０６  第２の構成要素
【図１】
2019155088.tif 000003
【図２】
2019155088.tif 000004
【図３】
2019155088.tif 000005
【図４】
2019155088.tif 000006
【図５】
2019155088.tif 000007
【図６】
2019155088.tif 000008
【図７】
2019155088.tif 000009
【図８】
2019155088.tif 000010
【図９】
2019155088.tif 000011
【図１０】
2019155088.tif 000012
【図１１】
2019155088.tif 000013
【図１２】
2019155088.tif 000014